(57)【要約】      （修正有）【課題】加工や工事を行うことなく、台所の流しの排水口に取付けられているゴミ貯留カゴと交換して容易に装着することができ、コンパクトで省スペース性に優れ、水分を含んだ生ゴミを手動で簡単かつ確実に水切りしてゴミ袋に回収することができ、台所及びゴミ収集場所を清潔に保つことができる手動回転式水切排水装置を提供する。【解決手段】排水口２０ａの外周の段差状の係止部２０ｂに係止される鍔部２ｃを有する外カゴ２と、外カゴに着脱自在に内挿され回転可能に保持される内カゴ５と、内カゴに形設され外カゴに対して内カゴを回転させる手動式回転機構６と、を備える。手動式回転機構は、内カゴの軸心に形成された筒状嵌合部７と、筒状嵌合部に挿通された筒状回転体１０と、を備え、筒状嵌合部が、外カゴの軸心に形成された有底円筒状の内カゴ保持凹部３に遊嵌されている。【選択図】図１
0003196601.tif 000002
【実用新案登録請求の範囲】
【請求項１】
流しの排水口に配設される手動回転式水切排水装置であって、
前記排水口の外周の段差状の係止部に係止される鍔部を有する外カゴと、前記外カゴに着脱自在に内挿され回転可能に保持される内カゴと、前記内カゴに形設され前記外カゴに対して前記内カゴを回転させる手動式回転機構と、を備えていることを特徴とする手動回転式水切排水装置。
【請求項２】
前記手動式回転機構が、前記内カゴの軸心に形成された筒状嵌合部と、前記筒状嵌合部の内周に沿って連続的に形成された鋸歯状係止部と、前記筒状嵌合部に挿通された筒状回転体と、前記筒状回転体の外周部に揺動自在に保持されたカギ爪部と、前記筒状回転体に配設され前記カギ爪部が前記鋸歯状係止部に係合するように付勢する付勢バネと、前記筒状回転体の内周面に形成された回転体螺旋溝又は前記筒状回転体の内周面に突設された回転体突起部と、前記筒状回転体の中空部に挿通される摺動軸と、前記摺動軸の外周面に突設され前記回転体螺旋溝に遊嵌される摺動軸突起部又は前記摺動軸の外周面に形成され前記回転体突起部が遊嵌される摺動軸螺旋溝と、前記摺動軸の上端部に形成された押ボタンと、前記摺動軸に外挿され下端側が前記筒状嵌合部の上端部に当接し上端側が前記押ボタンの下端部に当接するコイルバネと、を備え、
前記筒状嵌合部が、前記外カゴの軸心に形成された有底円筒状の内カゴ保持凹部に遊嵌されていることを特徴とする請求項１に記載の手動回転式水切排水装置。
【請求項３】
前記手動式回転機構が、前記筒状回転体の底部に配設された玉軸受と、前記内カゴ保持凹部の底部上面に配設され前記筒状嵌合部の下端面に当接するスラストワッシャーと、を備えていることを特徴とする請求項１又は２に記載の手動回転式水切排水装置。
【請求項４】
前記外カゴの底面部に配設され前記内カゴの底面を支持する内カゴ受ローラーを備えていることを特徴とする請求項１乃至３の内いずれか１項に記載の手動回転式水切排水装置。
【考案の詳細な説明】
【技術分野】
【０００１】
本考案は、家庭等における台所の流しの排水口に装着し、水分を含んだ残飯や茶カスなどの生ゴミを遠心力で簡単に水切りすることができる手動回転式水切排水装置に関するものである。
【背景技術】
【０００２】
近年、台所の流しは、排水口にゴミ貯留カゴを着脱自在に取付け、そのゴミ貯留カゴの下方に排水管が連結された構造のものが主流を占めている。この構造によれば、流しで排出された調理時の切り屑などの固形物（生ゴミ）を含んだ排水がゴミ貯留カゴに流されてきて、そのゴミ貯留カゴの網目よりも大きな固形物のみがゴミ貯留カゴで漉され、水分は、重力により排水管側に流れ出るようになっている。
しかし、ゴミ貯留カゴで漉された生ゴミに含まれる水分は、その表面張力等により十分にはゴミ受けの外部に流れ出ず、生ゴミは多くの水分を含んだ状態でゴミ受けに溜め置かれる。従って、この生ゴミをゴミ袋に入れてゴミ収集場所に出そうとすると、生ゴミが多くの水分を含んでいるために、非常に重くなり、また、体積も大きくなり、さらには、そのゴミ袋から悪臭をともなった水分が滴り落ちたりして、非常に苦痛をともなうものとなっていた。
また、ゴミ貯留カゴ内に水切りネット等を取付けても、目詰まりが発生し、処分する際に十分に水分が切れていない場合が多く、衛生上の問題があった。
この問題を解決するために、例えば、（特許文献１）には、排水口の下部にゴミ貯留部を介して排水管が設けられてなる流し台シンクと、ゴミ貯留部内に着脱且つ回転可能に配置される水透過性を有するゴミ収納手段と、ゴミ収納手段を回転させる回転手段とを有するシンク用遠心脱水装置が開示されている。
【先行技術文献】
【特許文献】
【０００３】
【特許文献１】特開平６−３２００４８号公報
【考案の開示】
【考案が解決しようとする課題】
【０００４】
しかしながら、上記従来の技術は以下のような課題を有していた。
（１）（特許文献１）の装置は、ゴミ貯留部内に配置されるゴミ収納手段に溜まっているゴミの脱水を行う際には、回転手段でゴミ収納手段を回転させることによってゴミの水切りが行なえ、その回転手段はシンクの排水口上に配置され、ゴミ貯留部内にあるゴミ収納手段にカギ状のツメを引っ掛けて回転させるものである。
（２）よって、（特許文献１）では、現行のシンクに特別な工事を施す必要がなく、手動で容易に脱水作業を行うことができ、振動や騒音もなく、漏水、漏電対策も不要であった。
（３）しかし、（特許文献１）の手動式回転装置（回転手段）は、シンクの排水口を覆うようにセットされる基体と、この基体の上部に水平面で回転可能に支持された回転軸と、この回転軸を回転駆動させるための押動部とから構成されており、手動式回転装置をゴミ収納手段に取付けた状態では、排水口が手動式回転装置で覆われ、手動式回転装置の回転軸や押動部が排水口の上方に大きく突出してしまうため、調理や洗い物をする際には手動式回転装置を取り外す必要があり、頻繁に手動式回転装置の着脱作業を行わなければならず、手動式回転装置の収納スペースも必要となり、不衛生で取扱い性、省スペース性に欠けるという課題を有している。
（４）また、手動式回転装置を着脱するため、手動式回転装置でゴミ収納手段を回転させるための機構部が露出しており、取扱い性、耐久性に欠けるという課題を有している。
【０００５】
本考案は上記課題を解決するもので、加工や工事を行うことなく、家庭等における台所の流しの排水口に取付けられているゴミ貯留カゴと交換して容易に排水口に装着することができ、排水口の上方に突出するものがなく、コンパクトで省スペース性に優れ、水分を含んだ残飯や茶カスなどの生ゴミを手動で簡単かつ確実に水切りしてゴミ袋に回収することができ、省力性、省エネルギー性に優れると共に、ゴミ袋から悪臭をともなった水分が滴り落ちることを防止して、台所及びゴミ収集場所を清潔に保つことができ、衛生的で、取扱い性に優れた手動回転式水切排水装置の提供を目的とする。
【課題を解決するための手段及びそれによって得られる作用、効果】
【０００６】
上記課題を解決するために本考案の手動回転式水切排水装置は、以下の構成を有している。
本考案の請求項１に記載の手動回転式水切排水装置は、流しの排水口に配設される手動回転式水切排水装置であって、前記排水口の外周の段差状の係止部に係止される鍔部を有する外カゴと、前記外カゴに着脱自在に内挿され回転可能に保持される内カゴと、前記内カゴに形設され前記外カゴに対して前記内カゴを回転させる手動式回転機構と、を備えた構成を有している。
この構成により、以下のような作用、効果を有する。
（１）排水口の外周の段差状の係止部に係止される鍔部を有する外カゴと、外カゴに着脱自在に内挿され回転可能に保持される内カゴと、内カゴに形設され外カゴに対して内カゴを回転させる手動式回転機構を有するので、手動式回転機構で内カゴを回転させるだけで内カゴに貯留される水分を含んだ残飯や茶カスなどの生ゴミを簡単かつ確実に水切りし、分離された水を外カゴから排水口に排水することができ、衛生的で水切り及び排水の信頼性に優れる。
（２）外カゴが流しの排水口の外周の段差状の係止部に係止される鍔部を有するので、既存の流しをそのまま使用して容易に装着することができ、流しの加工や工事が不要で、取扱い性、施工性に優れる。
（３）内カゴが外カゴに着脱自在に保持されるので、生ゴミの水切りが完了して生ゴミを廃棄（回収）する際には内カゴのみを取り外して容易に生ゴミを処分することができ、取扱い性、生ゴミ処理の省力性に優れる。
（４）外カゴ及び内カゴがそれぞれ排水口及び外カゴに対して着脱自在なので、排水口及び外カゴ、内カゴの洗浄、清掃も容易に行うことができ、衛生的でメンテナンス性、取扱い性に優れる。
（５）内カゴが外カゴに回転可能に保持されるので、内カゴに洗剤や漂白剤等をかけた後、手動式回転機構で内カゴを回転させることにより、外カゴにも洗剤や漂白剤等を行き渡らせて効率的に洗浄を行うことができ、洗浄の効率性、作業性に優れる。
（６）手動式回転機構が内カゴに形設されているので、手動式回転機構と内カゴを一体に取り扱うことができ、手動式回転機構の機構部を内カゴで保護することができ、機構部が外部に露出することがなく、機構部の破損を防止することができ、取扱い性、メンテナンス性、耐久性に優れる。
（７）手動式回転機構が内カゴに形設され、排水口の上方に突出することがないので、調理や洗い物をする際に手動式回転機構が邪魔になることがなく、省スペース性、取扱い性に優れる。
【０００７】
ここで、外カゴ及び内カゴの材質としては、ポリカーボネート、ポリプロピレン、ポリエチレン等の合成樹脂が好適に用いられる。軽量で成型の自在性、量産性に優れるためである。
内カゴの周壁面には複数の水切孔が形成されている。水切孔の孔径は１．５ｍｍ〜４ｍｍが好ましい。水切孔の孔径が１．５ｍｍより小さくなるにつれ、水切れが悪くなり、目詰まりが発生し易くなる傾向があり、４ｍｍより大きくなるにつれ、生ゴミの固形分が水切孔を通過し易くなり、水切り効率性が低下する傾向があり、いずれも好ましくない。
外カゴは内カゴ及び手動式回転機構を支持することができ、内カゴの回転時の負荷に耐えうる剛性を有する構造であればよいが、内カゴで水切りされた水が停滞することなく排水口から排水されるように、少なくとも底面には排水孔を形成する必要がある。尚、排水孔の大きさ、形状、配置等は適宜、選択することができる。
また、内カゴや外カゴの通水性（排水性）が低下してヌメリ等が発生しないように、適宜、抗菌処理や除菌処理等を施してもよい。
【０００８】
手動式回転機構は、外カゴに対して内カゴを回転させることができるものであればよいが、外カゴの上方に突出しないように内カゴに形設することが好ましい。特に、手動式回転機構が外カゴの内部に収まるように形設されることにより、手動回転式水切排水装置を排水口に取付けても排水口の上方に突起物などがなく、流しを有効利用することができ、使用性に優れる。
尚、内カゴは外カゴに対して一方向のみに回転するようにしてもよいし、両方向に回転する（正逆回転）するようにしてもよい。
【０００９】
請求項２に記載の考案は、請求項１に記載の手動回転式水切排水装置であって、前記手動式回転機構が、前記内カゴの軸心に形成された筒状嵌合部と、前記筒状嵌合部の内周に沿って連続的に形成された鋸歯状係止部と、前記筒状嵌合部に挿通された筒状回転体と、前記筒状回転体の外周部に揺動自在に保持されたカギ爪部と、前記筒状回転体に配設され前記カギ爪部が前記鋸歯状係止部に係合するように付勢する付勢バネと、前記筒状回転体の内周面に形成された回転体螺旋溝又は前記筒状回転体の内周面に突設された回転体突起部と、前記筒状回転体の中空部に挿通される摺動軸と、前記摺動軸の外周面に突設され前記回転体螺旋溝に遊嵌される摺動軸突起部又は前記摺動軸の外周面に形成され前記回転体突起部が遊嵌される摺動軸螺旋溝と、前記摺動軸の上端部に形成された押ボタンと、前記摺動軸に外挿され下端側が前記筒状嵌合部の上端部に当接し上端側が前記押ボタンの下端部に当接するコイルバネと、を備え、前記筒状嵌合部が、前記外カゴの軸心に形成された有底円筒状の内カゴ保持凹部に遊嵌された構成を有している。
この構成により、請求項１と同様の作用、効果に加え、以下のような作用、効果を有する。
（１）手動式回転機構が、内カゴの軸心に形成された筒状嵌合部と、筒状嵌合部の内周に沿って連続的に形成された鋸歯状係止部と、筒状嵌合部に挿通された筒状回転体と、筒状回転体の外周部に揺動自在に保持されたカギ爪部と、筒状回転体に配設されカギ爪部が鋸歯状係止部に係合するように付勢する付勢バネと、筒状回転体の内周面に形成された回転体螺旋溝又は筒状回転体の内周面に突設された回転体突起部と、筒状回転体の中空部に挿通される摺動軸と、摺動軸の外周面に突設され回転体螺旋溝に遊嵌される摺動軸突起部又は摺動軸の外周面に形成され回転体突起部が遊嵌される摺動軸螺旋溝と、摺動軸の上端部に形成された押ボタンを備え、筒状嵌合部が、外カゴの軸心に形成された有底円筒状の内カゴ保持凹部に遊嵌されているので、押ボタンを押し下げるだけで摺動軸が下方に移動すると共に筒状回転体が回転し、その際にカギ爪部が鋸歯状係止部に係合することにより、筒状回転体と共に内カゴが回転して内カゴに貯留された生ゴミの水分を水切りすることができ、水切りの確実性、効率性に優れる。
（２）手動式回転機構が、摺動軸に外挿され下端側が筒状嵌合部の上端部に当接し上端側が押ボタンの下端部に当接するコイルバネを有するので、押ボタンを押し下げて水切りを行った後に、押ボタンから手を離すと、圧縮されていたコイルバネが反発することにより、押ボタンが上方に押し上げられて初期状態に自動的に復帰するので、繰返し水切りを行うことができ、水切りの作業性、確実性に優れる。
（３）手動式回転機構が、内カゴの軸心に形成された筒状嵌合部と、筒状嵌合部の内周に沿って連続的に形成された鋸歯状係止部と、筒状嵌合部に挿通された筒状回転体と、筒状回転体の外周部に揺動自在に保持されたカギ爪部と、筒状回転体に配設されカギ爪部が鋸歯状係止部に係合するように付勢する付勢バネと、筒状回転体の内周面に形成された回転体螺旋溝又は筒状回転体の内周面に突設された回転体突起部と、筒状回転体の中空部に挿通される摺動軸と、摺動軸の外周面に突設され回転体螺旋溝に遊嵌される摺動軸突起部又は摺動軸の外周面に形成され回転体突起部が遊嵌される摺動軸螺旋溝を有することにより、水切り後にコイルバネの反発で押ボタンが押し上げられて摺動軸が上方に移動すると、筒状回転体が逆回転するが、カギ爪部が鋸歯状係止部の突起部によって筒状回転体の軸心方向に押し返されて付勢バネが圧縮されるため、カギ爪部が鋸歯状係止部に係合することなく筒状回転体のみが空回りして内カゴが回転することがないので、内カゴに貯留された生ゴミが逆方向に回転して内カゴの内部に散らばらずに、押ボタンを押し下げる度に繰返し水切りを行うことができ、水切りの確実性に優れる。また、内カゴが逆回転しないことにより、水切り後に内カゴの内周面に生ゴミが付着した状態を保つことができるので、容易に生ゴミを回収することができ、生ゴミ回収の作業性、省力性に優れる。
（４）手動式回転機構が、内カゴの軸心に形成された筒状嵌合部を備え、筒状嵌合部が、外カゴの軸心に形成された有底円筒状の内カゴ保持凹部に遊嵌されているので、外カゴに対して小さな力で内カゴを回転させ、遠心力を利用して容易に水切りを行うことができ、動力が不要で省エネルギー性、静音性に優れる。また、内カゴを上方に持ち上げるだけで簡単に外カゴから取り外して、生ゴミを回収することや、内カゴ及び外カゴの清掃やメンテナンスを行うことができ、使用性、取扱い性に優れる。
【００１０】
ここで、内カゴの軸心に形成された筒状嵌合部が外カゴの軸心に形成された有底円筒状の内カゴ保持凹部に遊嵌されることにより、内カゴが外カゴに着脱自在かつ回転可能に保持される。
筒状嵌合部の内周に沿って連続的に鋸歯状係止部が形成され、筒状回転体の外周部に揺動自在に保持されたカギ爪部が付勢バネによって鋸歯状係止部に係合するように付勢されていることにより、押ボタンが押し下げられて筒状回転体が正回転する際には、カギ爪部が鋸歯状係止部に係合して筒状回転体と共に内カゴが回転するが、押ボタンが押し上げられて筒状回転体が逆回転する際には、カギ爪部が鋸歯状係止部の突起部によって筒状回転体の軸心方向に押し返されて付勢バネが圧縮されるため、カギ爪部が鋸歯状係止部に係合することがなく、内カゴは回転しない。
カギ爪部は筒状回転体の円周方向に等角度間隔で２〜４個配設することが好ましい。カギ爪部が１個になると、筒状回転体の回転力が内カゴに均一に伝わらず、内カゴがスムーズに回転し難くなる傾向があり、４個より多くなるにつれ構造が複雑になりカギ爪部を配置することが困難になる傾向があり、いずれも好ましくない。２〜４個のカギ爪部を筒状回転体の円周方向に等角度間隔で配設することにより、筒状回転体の回転力を内カゴに均等に伝達して内カゴをスムーズに回転させることができる。
【００１１】
筒状回転体の内周面に回転体螺旋溝を形成し、摺動軸の外周面に突設した摺動軸突起部を回転体螺旋溝に遊嵌させた場合、押ボタンを押し下げて摺動軸を下方に移動させると、摺動軸突起部が下降することにより、回転体螺旋溝が摺動軸突起部に沿って移動し、筒状回転体が回転する。尚、この場合、摺動軸突起部は筒状回転体の上端側から下端側に移動するように形成される。
筒状回転体の内周面に回転体突起部を突設し、摺動軸の外周面に形成した摺動軸螺旋溝に回転体突起部を遊嵌させた場合、押ボタンを押し下げて摺動軸を下方に移動させると、摺動軸螺旋溝が下降することにより、回転体突起部が摺動軸螺旋溝に沿って移動し、筒状回転体が回転する。尚、この場合、回転体突起部は筒状回転体の下端側に形成される。
摺動軸突起部又は回転体突起部は摺動軸又は筒状回転体の円周方向に等角度間隔で２〜４個配設することが好ましい。摺動軸突起部又は回転体突起部が１個になると、摺動軸の直進運動をスムーズに筒状回転体の回転運動に変換し難くなる傾向があり、４個より多くなるにつれ構造が複雑になり摺動軸突起部又は回転体突起部が遊嵌される回転体螺旋溝又は摺動軸螺旋溝を形成することが困難になる傾向があり、いずれも好ましくない。２〜４個の摺動軸突起部又は回転体突起部を摺動軸又は筒状回転体の円周方向に等角度間隔で配設し、それに対応させて筒状回転体又は摺動軸の外周に２〜４本の回転体螺旋溝又は摺動軸螺旋溝を形成することにより、摺動軸の直進運動をスムーズに筒状回転体の回転運動に変換して筒状回転体を小さな力で効率的に回転させることができる。
【００１２】
押ボタンは摺動軸と一体に形成してもよいし、別部材で形成し、螺子止め、嵌合、接着等の手段で摺動軸の上端に固定してもよい。
押ボタンを押し下げた時に、摺動軸に外挿されるコイルバネの上端部が押ボタンの下面に当接して、押ボタンと筒状嵌合部との間でコイルバネが圧縮されるように、押ボタンの外形は摺動軸の直径よりも大きく形成される。尚、押ボタンはコイルバネを圧縮できればよいので、その外形形状は適宜、選択することができ、円形以外の多角形状でもよい。
【００１３】
請求項３に記載の考案は、請求項１又は２に記載の手動回転式水切排水装置であって、前記手動式回転機構が、前記筒状回転体の底部に配設された玉軸受と、前記内カゴ保持凹部の底部上面に配設され前記筒状嵌合部の下端面に当接するスラストワッシャーと、を備えた構成を有している。
この構成により、請求項１又は２の作用、効果に加え、以下のような作用、効果を有する。
（１）手動式回転機構が、筒状回転体の底部に配設された玉軸受と、内カゴ保持凹部の底部上面に配設され筒状嵌合部の下端面に当接するスラストワッシャーを有することにより、筒状回転体及び筒状嵌合部の下端面と、内カゴ保持凹部の底部上面との間の摩擦を軽減し、外カゴに対して筒状回転体及び内カゴをスムーズに回転させることができ、動作の安定性、確実性に優れる。
【００１４】
ここで、玉軸受は内カゴ保持凹部の底部上面に直接接触してもよいし、スラストワッシャーの上面に接触してもよいが、スラストワッシャーの上面に接触することにより、より確実かつ効果的に筒状回転体と内カゴ保持凹部との間の摩擦を低減することができ、水切りの効率性に優れる。
【００１５】
請求項４に記載の考案は、請求項１乃至３の内いずれか１項に記載の手動回転式水切排水装置であって、前記外カゴの底面部に配設され前記内カゴの底面を支持する内カゴ受ローラーを備えた構成を有している。
この構成により、請求項１乃至３の内いずれか１項の作用、効果に加え、以下のような作用、効果を有する。
（１）外カゴの底面部に配設され内カゴの底面を支持する内カゴ受ローラーを有することにより、内カゴの底面全体が外カゴの底面部に接触することを防ぎ、外カゴに対して内カゴをスムーズに回転させることができ、水切りの確実性、効率性に優れる。
【００１６】
ここで、内カゴ受ローラーの数や配置は適宜、選択することができるが、同一円周上に配置する内カゴ受ローラーの数は３〜６個が好ましい。内カゴ受ローラーの数が３個より少なくなるにつれ、内カゴの底面全体を均一に支持し難くなり、内カゴが傾き易くなる傾向があり、６個より多くなるにつれ、内カゴ受ローラーの配置間隔が狭くなり、外カゴの量産性、耐久性が低下し易くなる傾向があり、いずれも好ましくない。尚、内カゴ受ローラーを同一円周上に等角度間隔で配置することにより、内カゴ受ローラーで内カゴ全体を均一に支持することができ、内カゴの回転中に内カゴが傾くことがなく、動作の安定性に優れる。また、直径の異なる円周上に内カゴ受ローラーを二重に配設する場合、内側と外側で内カゴ受ローラーの円周方向位置をずらして互い違いに配置することにより、内カゴ受ローラーが近接することなく、多くの内カゴ受ローラーで内カゴの底面全体を均一に支持することができ、内カゴの支持安定性に優れる。
【図面の簡単な説明】
【００１７】
【図１】実施の形態１の手動回転式水切排水装置の要部断面模式図
【図２】図１のＡ−Ａ線矢視断面模式図
【図３】実施の形態１の手動回転式水切排水装置の筒状回転体における回転体螺旋溝の平面展開模式図
【図４】図１のＢ−Ｂ線矢視断面模式図
【図５】（ａ）実施の形態１の手動回転式水切排水装置の手動式回転機構における正回転時のカギ爪部の動作を示す要部拡大模式図  （ｂ）実施の形態１の手動回転式水切排水装置の手動式回転機構における逆回転時のカギ爪部の動作を示す要部拡大模式図
【考案を実施するための形態】
【００１８】
本考案の手動回転式水切排水装置について、以下図面を参照しながら説明する。なお、本考案は以下に説明する実施の形態に限定されるものではない。
（実施の形態１）
図１は実施の形態１の手動回転式水切排水装置の要部断面模式図である。
図１中、１は家庭等における台所の流し２０の排水口２０ａに装着される実施の形態１の手動回転式水切排水装置、２はポリカーボネートやポリプロピレン等の合成樹脂で略円筒状に形成され排水口２０ａに着脱自在に装着される手動回転式水切排水装置１の外カゴ、２ａは外カゴ２の底面部、２ｂは外カゴ２の円筒状の周壁、２ｃは周壁２ｂの上端外周に形成され排水口２０ａの段差状の係止部２０ｂに係止される外カゴ２の鍔部、３は外カゴ２の軸心に形成された有底円筒状の内カゴ保持凹部、３ａは内カゴ保持凹部３の上方に円筒状に形設された延設部、３ｂは内カゴ保持凹部３の中央部に穿設された貫通孔、４は外カゴ２の底面部２ａに等角度間隔で同一円周上に配設された４個の内カゴ受ローラー、５はポリカーボネートやポリプロピレン等の合成樹脂で略円筒状に形成され外カゴ２に着脱自在に内挿されて回転可能に保持される手動回転式水切排水装置１の内カゴ、５ａは内カゴ受ローラー４で支持される内カゴ５の底面、５ｂは内カゴ５の円筒状の周壁、６は内カゴ５に形設され外カゴ２に対して内カゴ５を回転させる手動式回転機構、７は内カゴ５の軸心に形成され内カゴ保持凹部３に遊嵌される手動式回転機構６の筒状嵌合部、８は筒状嵌合部７の外周に形成された手動式回転機構６の外筒部、９は筒状嵌合部７と外筒部８の間に形成され内カゴ保持凹部３の延設部３ａが遊嵌される手動式回転機構６の外周凹部、１０は筒状嵌合部７の内側に挿通された手動式回転機構６の筒状回転体、１１は筒状回転体１０の内周面に形成された手動式回転機構６の２条の回転体螺旋溝、１４は筒状回転体１０の中空部に挿通される手動式回転機構６の摺動軸、１４ａは摺動軸１４の外周面に１８０度間隔で突設され回転体螺旋溝１１にそれぞれ遊嵌される手動式回転機構６の２個の摺動軸突起部、１５は摺動軸１４の上端部に形成された手動式回転機構６の押ボタン、１６は摺動軸１４に外挿され下端側が筒状嵌合部７の上端部に配設されたワッシャー１７の上面に当接し上端側が押ボタン１５の下端部に当接する手動式回転機構６のコイルバネ、１６ａは摺動軸１４とコイルバネ１６との間に挿通され押ボタン１５の押し下げ量を規制する押し下げ規制筒、１８は筒状回転体１０の底部に配設された玉軸受、１９は内カゴ保持凹部３の底部上面に配設され筒状嵌合部７の下端面及び玉軸受１８に当接するスラストワッシャーである。
【００１９】
本実施の形態では４個の内カゴ受ローラー４を等角度間隔で同一円周上に配置した。これにより、内カゴ受ローラー４で内カゴ５全体を均一に支持することができ、内カゴ５の回転中に内カゴ５が傾くことがなく、動作の安定性に優れる。尚、内カゴ受ローラー４の数や配置は適宜、選択することができる。内カゴ受ローラー４を同一円周上に配置する場合、内カゴ受ローラー４の数は３〜６個が好ましい。内カゴ受ローラー４の数が３個より少なくなるにつれ、内カゴ５の底面５ａ全体を均一に支持し難くなり、内カゴ５が傾き易くなる傾向があり、６個より多くなるにつれ、内カゴ受ローラー４の配置間隔が狭くなり、外カゴ２の量産性、耐久性が低下し易くなる傾向があるためである。また、直径の異なる円周上に内カゴ受ローラー４を二重に配設する場合、内側と外側で内カゴ受ローラー４の円周方向位置をずらして互い違いに配置することにより、内カゴ受ローラー４が近接することなく、多くの内カゴ受ローラー４で内カゴ５の底面５ａ全体を均一に支持することができ、内カゴ５の支持安定性に優れる。
【００２０】
内カゴ５の周壁５ｂには孔径が１．５ｍｍ〜４ｍｍの複数の水切孔（図示せず）を形成した。水切孔の孔径が１．５ｍｍより小さくなるにつれ、水切れが悪くなり、目詰まりが発生し易くなる傾向があり、４ｍｍより大きくなるにつれ、生ゴミの固形分が水切孔を通過し易くなり、水切り効率性が低下する傾向があることが分かったためである。尚、水切孔の数や配置は適宜、選択することができる。
また、外カゴ２は内カゴ５及び手動式回転機構６を支持することができ、内カゴ５の回転時の負荷や押ボタン１５の押圧力に耐えうる剛性を有する構造であればよい。外カゴ２の周壁２ｂにリブを設けることにより、外カゴ２の形状安定性に優れ、変形や破損を効果的に防止することができる。外カゴ２の少なくとも底面部２ａに排水孔を形成することにより、内カゴ５で水切りされた水が外カゴ２の内部に停滞することなく排水口２０ａから排水され衛生的に優れる。尚、排水孔の大きさ、形状、配置等は適宜、選択することができる。
また、本実施の形態では、筒状嵌合部７を内カゴ保持凹部３の内側に遊嵌させると共に、筒状嵌合部７と外筒部８の間に形成された外周凹部９に内カゴ保持凹部３の延設部３ａを遊嵌させた。これにより、外カゴ２に対する内カゴ５の位置ずれや傾きを効果的に防ぐことができ、内カゴ５の保持安定性に優れる。
【００２１】
次に、実施の形態１の手動回転式水切排水装置における手動式回転機構の詳細をその動作に基づいて説明する。
図２は図１のＡ−Ａ線矢視断面模式図であり、図３は実施の形態１の手動回転式水切排水装置の筒状回転体における回転体螺旋溝の平面展開模式図である。
図３中、１１ａは回転体螺旋溝１１の下辺、１１ｂは回転体螺旋溝１１の上辺、１１ｃは筒状回転体１０の下端部で２条の回転体螺旋溝１１同士を連結するように帯状に形成された空転用遊び溝であり、ハッチング部分が溝を示している。
まず、水切りを行う際には、手動式回転機構６の押ボタン１５を人手で押し下げる。
図１及び図２に示すように、摺動軸１４の外周面に突設された摺動軸突起部１４ａが筒状回転体１０の内周面に形成された回転体螺旋溝１１に遊嵌されていることにより、押ボタン１５を押し下げて摺動軸１４を下方に移動させると、摺動軸突起部１４ａが下降することにより、図３の実線の矢印で示したように摺動軸突起部１４ａが相対的に回転体螺旋溝１１の下辺１１ａに沿うように移動し、筒状回転体１０が正回転（左回転）する。このとき、押ボタン１５を押し下げ終わっても、筒状回転体１０は勢いで回転し続けようとするが、図３に示したように、筒状回転体１０の下端部に空転用遊び溝１１ｃが形成されているので、押ボタン１５を押し下げた状態で摺動軸突起部１４ａが筒状回転体１０の回転を妨げることはなく、筒状回転体１０は惰性で回転を続ける。尚、摺動軸１４とコイルバネ１６との間に押し下げ規制筒１６ａが挿通されていることにより、押ボタン１５を所定量押し下げた時に、押ボタン１５の下端部に押し下げ規制筒１６ａの上端部が当接して、押ボタン１５の押し下げ量を規制することができ、外カゴ２や内カゴ５に大きな負荷がかかることを防止し、破損を防ぐことができる。
【００２２】
本実施の形態では２個の摺動軸突起部１４ａを摺動軸１４の外周に１８０度置きに配置し、それに対応させて筒状回転体１０の外周に２本の回転体螺旋溝１１を形成した。これにより、摺動軸１４の直進運動をスムーズに筒状回転体１０の回転運動に変換して筒状回転体１０を小さな力で効率的に回転させることができる。尚、摺動軸突起部１４ａの数は２〜４個の中から適宜、選択することができる。摺動軸突起部１４ａが１個になると、摺動軸１４の直進運動をスムーズに筒状回転体１０の回転運動に変換し難くなる傾向があり、４個より多くなるにつれ構造が複雑になり摺動軸突起部１４ａが遊嵌される回転体螺旋溝１１を形成することが困難になる傾向があるためである。
尚、筒状回転体１０の内周面に回転体螺旋溝１１を形成し、摺動軸１４の外周面に摺動軸突起部１４ａを突設する代わりに、筒状回転体１０の内周面に回転体突起部を突設し、摺動軸１４の外周面に摺動軸螺旋溝を形成してもよい。
本実施の形態では、押し下げ規制筒１６ａを摺動軸１４とコイルバネ１６との間に挿通したが、コイルバネ１６の外周に挿通してもよい。
【００２３】
図４は図１のＢ−Ｂ線矢視断面模式図であり、図５（ａ）は実施の形態１の手動回転式水切排水装置の手動式回転機構における正回転時のカギ爪部の動作を示す要部拡大模式図であり、図５（ｂ）は実施の形態１の手動回転式水切排水装置の手動式回転機構における逆回転時のカギ爪部の動作を示す要部拡大模式図である。
図４及び図５中、７ａは筒状嵌合部７の内周に沿って連続的に形成された手動式回転機構６の鋸歯状係止部、７ｂは鋸歯状係止部７ａの突起部、１２は筒状回転体１０の外周部に１８０度間隔で配置された手動式回転機構６の２個のカギ爪部、１２ａはカギ爪部１２を筒状回転体１０に対して揺動自在に保持する軸支部、１３は筒状回転体１０に配設されカギ爪部１２が鋸歯状係止部７ａに係合するように付勢する手動式回転機構６の付勢バネである。
図５（ａ）に実線の矢印で示したように筒状回転体１０が正回転（左回転）すると、付勢バネ１３で付勢されたカギ爪部１２が鋸歯状係止部７ａに係合するため、筒状回転体１０の回転に伴って筒状嵌合部７と一体に形成された内カゴ５が外カゴ２に対して回転する。これにより、内カゴ５に貯留される水分を含んだ残飯や茶カスなどの生ゴミが水切りされ、分離された水を外カゴ２から排水口２０ａに排水することができる。
【００２４】
次に、押ボタン１５から手を離すと、圧縮されていたコイルバネ１６が反発することにより、押ボタン１５が押し上げられ摺動軸１４が上方に移動する。このとき摺動軸突起部１４ａが上昇することにより、図３の破線の矢印で示したように摺動軸突起部１４ａが相対的に回転体螺旋溝１１の上辺１１ｂに沿うように移動し、筒状回転体１０が逆回転（右回転）する。
図５（ｂ）に破線の矢印で示したように筒状回転体１０が逆回転（右回転）する場合には、カギ爪部１２が鋸歯状係止部７ａの突起部７ｂで筒状回転体１０の軸心方向に押戻され、付勢バネ１３が圧縮されてカギ爪部１２が鋸歯状係止部７ａに係合することがないため、筒状回転体１０のみが空回りし、内カゴ５が回転することなく、自動的に初期状態に復帰する。
以上の動作を複数回繰り返すことにより、内カゴ５に貯留される生ゴミの水切りを確実に行うことができる。
【００２５】
本実施の形態では２個のカギ爪部１２を筒状回転体１０の外周に１８０度置きに配置した。これにより、筒状回転体１０の回転力を内カゴ５に均等に伝達して内カゴ５をスムーズに回転させることができる。尚、カギ爪部１２の数は２〜４個の中から適宜、選択することができる。カギ爪部１２が１個になると、筒状回転体１０の回転力が内カゴ５に均一に伝わらず、内カゴ５がスムーズに回転し難くなる傾向があり、４個より多くなるにつれ構造が複雑になりカギ爪部１２を配置することが困難になる傾向があるためである。  押ボタン１５は摺動軸１４と一体に形成してもよいし、別部材で形成し、螺子止め、嵌合、接着等の手段で摺動軸１４の上端に固定してもよい。
押ボタン１５を押し下げた時に、摺動軸１４に外挿されるコイルバネ１６の上端部が押ボタン１５の下面に当接して、押ボタン１５と筒状嵌合部７との間でコイルバネ１６が圧縮されるように、押ボタン１５の外形は摺動軸１４の直径よりも大きく形成した。尚、押ボタン１５はコイルバネ１６を圧縮できればよいので、その外形形状は適宜、選択することができ、円形以外の多角形状でもよい。
尚、鋸歯状係止部７ａやカギ爪部１２等を省略し、筒状回転体１０と筒状嵌合部７を一体化するか、筒状回転体１０やカギ爪部１２等を省略し、摺動軸１４の摺動軸突起部１４ａを筒状嵌合部７の内周面に形成した螺旋溝に遊嵌させて直接、内カゴ５を正逆回転させることもできる。
【００２６】
以上のように構成された実施の形態１の手動回転式水切排水装置は、以下の作用を有する。
（１）排水口に装着される外カゴと、外カゴに着脱自在に内挿され回転可能に保持される内カゴと、内カゴに形設され外カゴに対して内カゴを回転させる手動式回転機構を有するので、手動式回転機構で内カゴを回転させるだけで内カゴに貯留される水分を含んだ残飯や茶カスなどの生ゴミを簡単かつ確実に水切りし、分離された水を外カゴから排水口に排水することができ、衛生的で水切り及び排水の信頼性に優れる。
（２）外カゴが流しの排水口の外周の段差状の係止部に係止される鍔部を有するので、既存の流しをそのまま使用して容易に装着することができ、流しの加工や工事が不要で、取扱い性、施工性に優れる。
（３）内カゴが外カゴに着脱自在に保持されるので、生ゴミの水切りが完了して生ゴミを廃棄（回収）する際には内カゴのみを取り外して容易に生ゴミを処分することができ、取扱い性、生ゴミ処理の省力性に優れる。
（４）外カゴ及び内カゴがそれぞれ排水口及び外カゴに対して着脱自在なので、排水口及び外カゴ、内カゴの洗浄、清掃も容易に行うことができ、衛生的でメンテナンス性、取扱い性に優れる。
（５）内カゴが外カゴに回転可能に保持されるので、内カゴに洗剤や漂白剤等をかけた後、手動式回転機構で内カゴを回転させることにより、外カゴにも洗剤や漂白剤等を行き渡らせて効率的に洗浄を行うことができ、洗浄の効率性、作業性に優れる。
（６）手動式回転機構が内カゴに形設されているので、手動式回転機構と内カゴを一体に取り扱うことができ、手動式回転機構の機構部を内カゴで保護することができ、機構部が外部に露出することがなく、機構部の破損を防止することができ、取扱い性、メンテナンス性、耐久性に優れる。
（７）手動式回転機構が内カゴに形設され、排水口の上方に突出することがないので、調理や洗い物をする際に手動式回転機構が邪魔になることがなく、省スペース性、取扱い性に優れる。
（８）手動式回転機構が、内カゴの軸心に形成された筒状嵌合部と、筒状嵌合部の内周に沿って連続的に形成された鋸歯状係止部と、筒状嵌合部に挿通された筒状回転体と、筒状回転体の外周部に揺動自在に保持されたカギ爪部と、筒状回転体に配設されカギ爪部が鋸歯状係止部に係合するように付勢する付勢バネと、筒状回転体の内周面に形成された回転体螺旋溝又は筒状回転体の内周面に突設された回転体突起部と、筒状回転体の中空部に挿通される摺動軸と、摺動軸の外周面に突設され回転体螺旋溝に遊嵌される摺動軸突起部又は摺動軸の外周面に形成され回転体突起部が遊嵌される摺動軸螺旋溝と、摺動軸の上端部に形成された押ボタンを備え、筒状嵌合部が、外カゴの軸心に形成された有底円筒状の内カゴ保持凹部に遊嵌されているので、押ボタンを押し下げるだけで摺動軸が下方に移動すると共に筒状回転体が回転し、その際にカギ爪部が鋸歯状係止部に係合することにより、筒状回転体と共に内カゴが回転して内カゴに貯留された生ゴミの水分を水切りすることができ、水切りの確実性、効率性に優れる。
（９）手動式回転機構が、摺動軸に外挿され下端側が筒状嵌合部の上端部に当接し上端側が押ボタンの下端部に当接するコイルバネを有するので、押ボタンを押し下げて水切りを行った後に、押ボタンから手を離すと、圧縮されていたコイルバネが反発することにより、押ボタンが上方に押し上げられて初期状態に自動的に復帰するので、繰返し水切りを行うことができ、水切りの作業性、確実性に優れる。
（１０）手動式回転機構が、内カゴの軸心に形成された筒状嵌合部と、筒状嵌合部の内周に沿って連続的に形成された鋸歯状係止部と、筒状嵌合部に挿通された筒状回転体と、筒状回転体の外周部に揺動自在に保持されたカギ爪部と、筒状回転体に配設されカギ爪部が鋸歯状係止部に係合するように付勢する付勢バネと、筒状回転体の内周面に形成された回転体螺旋溝又は筒状回転体の内周面に突設された回転体突起部と、筒状回転体の中空部に挿通される摺動軸と、摺動軸の外周面に突設され回転体螺旋溝に遊嵌される摺動軸突起部又は摺動軸の外周面に形成され回転体突起部が遊嵌される摺動軸螺旋溝を有することにより、水切り後にコイルバネの反発で押ボタンが押し上げられて摺動軸が上方に移動すると、筒状回転体が逆回転するが、カギ爪部が鋸歯状係止部の突起部によって筒状回転体の軸心方向に押し返されて付勢バネが圧縮されるため、カギ爪部が鋸歯状係止部に係合することなく筒状回転体のみが空回りして内カゴが回転することがないので、内カゴに貯留された生ゴミが逆方向に回転して内カゴの内部に散らばらずに、押ボタンを押し下げる度に繰返し水切りを行うことができ、水切りの確実性に優れる。また、内カゴが逆回転しないことにより、水切り後に内カゴの内周面に生ゴミが付着した状態を保つことができるので、容易に生ゴミを回収することができ、生ゴミ回収の作業性、省力性に優れる。
（１１）手動式回転機構が、内カゴの軸心に形成された筒状嵌合部を備え、筒状嵌合部が、外カゴの軸心に形成された有底円筒状の内カゴ保持凹部に遊嵌されているので、外カゴに対して小さな力で内カゴを回転させ、遠心力を利用して容易に水切りを行うことができ、動力が不要で省エネルギー性、静音性に優れる。また、内カゴを上方に持ち上げるだけで簡単に外カゴから取り外して、生ゴミを回収することや、内カゴ及び外カゴの清掃やメンテナンスを行うことができ、使用性、取扱い性に優れる。
（１２）手動式回転機構が、筒状回転体の底部に配設された玉軸受と、内カゴ保持凹部の底部上面に配設され筒状嵌合部の下端面に当接するスラストワッシャーを有することにより、筒状回転体及び筒状嵌合部の下端面と、内カゴ保持凹部の底部上面との間で発生する最大摩擦を軽減し、外カゴに対して筒状回転体及び内カゴをスムーズに回転させることができ、動作の安定性、確実性に優れる。
（１３）外カゴの底面部に配設され内カゴの底面を支持する内カゴ受ローラーを有することにより、内カゴの底面全体が外カゴの底面部に接触することを防ぎ、外カゴに対して内カゴをスムーズに回転させることができ、水切りの確実性、効率性に優れる。
【産業上の利用可能性】
【００２７】
本考案は、加工や工事を行うことなく、家庭等における台所の流しの排水口に取付けられているゴミ貯留カゴと交換して容易に排水口に装着することができ、排水口の上方に突出するものがなく、コンパクトで省スペース性に優れ、水分を含んだ残飯や茶カスなどの生ゴミを手動で簡単かつ確実に水切りしてゴミ袋に回収することができ、省力性、省エネルギー性に優れると共に、ゴミ袋から悪臭をともなった水分が滴り落ちることを防止して、台所及びゴミ収集場所を清潔に保つことができ、衛生的で、取扱い性に優れた手動回転式水切排水装置の提供を行うことができ、清掃回収業者の”よく水を切って捨てて下さい。”という要望に応えることができる。
【符号の説明】
【００２８】
１  手動回転式水切排水装置
２  外カゴ
２ａ  底面部
２ｂ  周壁
２ｃ  鍔部
３  内カゴ保持凹部
３ａ  延設部
３ｂ  貫通孔
４  内カゴ受ローラー
５  内カゴ
５ａ  底面
５ｂ  周壁
６  手動式回転機構
７  筒状嵌合部
７ａ  鋸歯状係止部
７ｂ  突起部
８  外筒部
９  外周凹部
１０  筒状回転体
１１  回転体螺旋溝
１１ａ  下辺
１１ｂ  上辺
１１ｃ  空転用遊び溝
１２  カギ爪部
１２ａ  軸支部
１３  付勢バネ
１４  摺動軸
１４ａ  摺動軸突起部
１５  押ボタン
１６  コイルバネ
１６ａ  押し下げ規制筒
１７  ワッシャー
１８  玉軸受
１９  スラストワッシャー
２０  流し
２０ａ  排水口
２０ｂ  係止部
【図１】
0003196601.tif 000003
【図２】
0003196601.tif 000004
【図３】
0003196601.tif 000005
【図４】
0003196601.tif 000006
【図５】
0003196601.tif 000007
【手続補正書】
【提出日】平成27年1月15日(2015.1.15)
【手続補正１】
【補正対象書類名】実用新案登録請求の範囲
【補正対象項目名】請求項３
【補正方法】変更
【補正の内容】
【請求項３】
前記手動式回転機構が、前記筒状回転体の底部に配設された玉軸受と、前記内カゴ保持凹部の底部上面に配設され前記筒状嵌合部の下端面に当接するスラストワッシャーと、を備えていることを特徴とする請求項２に記載の手動回転式水切排水装置。
【手続補正２】
【補正対象書類名】明細書
【補正対象項目名】００１３
【補正方法】変更
【補正の内容】
【００１３】
請求項３に記載の考案は、請求項２に記載の手動回転式水切排水装置であって、前記手動式回転機構が、前記筒状回転体の底部に配設された玉軸受と、前記内カゴ保持凹部の底部上面に配設され前記筒状嵌合部の下端面に当接するスラストワッシャーと、を備えた構成を有している。
この構成により、請求項２の作用、効果に加え、以下のような作用、効果を有する。
（１）手動式回転機構が、筒状回転体の底部に配設された玉軸受と、内カゴ保持凹部の底部上面に配設され筒状嵌合部の下端面に当接するスラストワッシャーを有することにより、筒状回転体及び筒状嵌合部の下端面と、内カゴ保持凹部の底部上面との間の摩擦を軽減し、外カゴに対して筒状回転体及び内カゴをスムーズに回転させることができ、動作の安定性、確実性に優れる。